(57)【要約】      （修正有）【課題】容器内に収容したフィンガーフードに埃が付着するのを防ぐことができるのは勿論のこと、手間暇をかけずに簡単に蓋を固定することができると共に、フィンガーフードの熱が容器内に籠るのを防ぐことが可能であるフィンガーフード用紙製容器を提供する。【解決手段】フィンガーフード取り出し口０１０７には、その開口内側に正面から見て左右に折曲片０１０８Ｌ、０１０８Ｒが略開口面の一部を閉じるように形成され、後部から延在する蓋０１０６には先端舌片０１０６Ｃが設けられ、この先端舌片０１０６Ｃは、蓋０１０６を閉じた状態で左右の折曲片０１０８Ｌ、０１０８Ｒとフィンガーフード取り出し口０１０７の前側面０１０１の壁面にて挟持固定可能に構成されている。【選択図】図１Ａ
0003226526.tif 000002
【実用新案登録請求の範囲】
【請求項１】
上部開口には、その開口内側に正面から見て左右に折曲片が略開口面の一部を閉じるように形成され、
後部から延在する蓋には先端舌片が設けられ、この先端舌片は、蓋を閉じた状態で前記折曲片と開口上部の壁面にて挟持固定可能に構成されているフィンガーフード用紙製容器。
【請求項２】
前記先端舌片の付根は左右に切込が形成され、前記折曲片の内側より端部が蓋を閉じた状態でこの切込に差し込まれるように構成されている請求項１に記載のフィンガーフード用紙製容器。
【請求項３】
舌片の付根の前記左右の切込の間は蓋の上部側を山とする山折線が設けられている請求項２に記載のフィンガーフード用紙製容器。
【考案の詳細な説明】
【技術分野】
【０００１】
本件考案は、コンビニエンスストアやファーストフード店などの飲食物販売店において、フライドポテトや唐揚げやコロッケなどのフィンガーフードを販売するのに用いられるフィンガーフード用紙製容器に関する。紙製の組立式立体容器である
【背景技術】
【０００２】
従来において、上記したようなフライドポテトや唐揚げやコロッケなどのフィンガーフードを収納するフィンガーフード用紙製容器は、その大半が紙製の組立式立体容器であり、様々な形態のものが知られている。
【０００３】
例えば、特許文献１に記載されているフィンガーフード用紙製容器は、一枚のシート状の紙からなる容器であり、この一枚の紙を折り曲げて数カ所で糊付けしたりテープで貼り合わせたりするだけで簡単に組立てることができる。
【０００４】
このフィンガーフード用紙製容器は、容器内に収容したフィンガーフードに埃が付着するのを防ぐための蓋を有している。この場合、蓋は容器の背面上端に連続して形成されており、この蓋は、その先端側を容器の開口内に挿入して開口前側上端の壁面に重ね合わせることで、開口を閉塞するようになっている。そして、蓋と開口上端との間にテープを跨って貼り付けることで、開口の閉塞状態を維持するようになっている。
【先行技術文献】
【特許文献】
【０００５】
【特許文献１】実用新案登録３２０３５９９号
【考案の概要】
【考案が解決しようとする課題】
【０００６】
上記した従来のフィンガーフード用紙製容器では、容器の開口を閉塞する蓋を有しているので、埃からフィンガーフードを護ることができる。
しかしながら、容器の開口前側上端の壁面に先端側を重ね合わせた蓋が浮き上がるのを防ぐために、蓋をテープによって固定するようにしていることから、蓋を押さえながらテープを貼る作業に相当の手間暇がかかってしまう。
【０００７】
また、蓋の先端側と容器の前面上端とを密着させて蓋を固定する都合上、容器内に収容したフィンガーフードの熱が容器内に籠ってしまい、その結果、フィンガーフードが蒸れて水っぽくなり兼ねないという問題があり、これを解決することが従来の課題となっていた。
【０００８】
本考案は、上記した従来の課題に着目して成されたもので、容器内に収容したフィンガーフードに埃が付着するのを防ぐことができるのは勿論のこと、手間暇をかけずに簡単に蓋を固定することができると共に、フィンガーフードの熱が容器内に籠るのを防ぐことが可能であるフィンガーフード用紙製容器を提供することを目的としている。
【課題を解決するための手段】
【０００９】
以上の課題を解決するため、第一の考案において、上部開口には、その開口内側に正面から見て左右に折曲片が略開口面の一部を閉じるように形成され、後部から延在する蓋には先端舌片が設けられ、この先端舌片は、蓋を閉じた状態で前記折曲片と開口上部の壁面にて挟持固定可能に構成されているフィンガーフード用紙製容器を提供する。
【００１０】
また、第二の考案において、前記先端舌片の付根は左右に切込が形成され、前記折曲片の内側より端部が蓋を閉じた状態でこの切込に差し込まれるように構成されているフィンガーフード用紙製容器を提供する。
【００１１】
さらに、第三の考案において、舌片の付根の前記左右の切込の間には蓋の上部側を山とする山折線が設けられているフィンガーフード用紙製容器を提供する。
【考案の効果】
【００１２】
本件考案によれば、容器内に収容したフィンガーフードに埃が付着するのを防ぐことができるのに加えて、手間暇をかけずに容易に蓋を固定することが可能であると共に、フィンガーフードの熱が容器内に籠るのを防ぐことができるという効果を奏する。
【図面の簡単な説明】
【００１３】
【図１Ａ】実施例１のフィンガーフード用紙製容器の蓋を開けた状態の斜視図
【図１Ｂ】実施例１のシートを折り曲げて形成されるフィンガーフード用紙製容器の展開図
【図１Ｃ】図１Ａのフィンガーフード用紙製容器の右側面の構成を明示する斜視図
【図１Ｄ】図１Ａのフィンガーフード用紙製容器の底面を説明する部分断面図
【図１Ｅ】図１Ａのフィンガーフード用紙製容器の蓋を閉じた状態の斜視図
【図２Ａ】実施例２のフィンガーフード用紙製容器の蓋を開けた状態の斜視図
【図２Ｂ】図２Ａのフィンガーフード用紙製容器の蓋を閉じた状態の部分正面図
【図３Ａ】実施例３のフィンガーフード用紙製容器の蓋を開けた状態の斜視図
【図３Ｂ】図３Ａのフィンガーフード用紙製容器の蓋を閉じた状態の部分正面図
【考案を実施するための形態】
【００１４】
以下に本考案の実施例を説明する。実施例１は主に請求項１、実施例２は主に請求項２、実施例３は主に請求項３について説明している。なお、本考案はこれらの実施例に限定されるものではなく、その要旨を逸脱しない範囲において、種々なる態様で実施し得る。
≪実施例１≫
【００１５】
＜概要＞
本実施例のフィンガーフード用紙製容器は、上部開口を塞ぐ正面から見て左右に位置する折曲片及び後部から延在する蓋を有し、左右の折曲片及び蓋をいずれも閉じた状態において、蓋に設けた先端舌片を左右の折曲片と上部開口の壁面とで挟持固定するように構成したことを特徴としている。
【００１６】
本実施例のフィンガーフード用紙製容器では、上部開口の閉塞状態において、蓋の先端舌片が左右の折曲片及び上部開口の壁面に挟持されるので、蓋が浮き上がることがほとんど生じない。すなわち、蓋を押さえながらテープを貼る作業が不要なものとなり、手間暇をかけずに容易に蓋を固定し得ることとなる。
【００１７】
また、本実施例のフィンガーフード用紙製容器では、蓋の先端舌片を左右の折曲片及び上部開口の壁面で挟持することで蓋を固定するようにしているので、テープを用いて蓋を固定する場合と比べて、蓋と容器の上部開口縁部とが密着する部分が少なくなる。
【００１８】
したがって、蓋と容器の上部開口縁部との間の隙間からフィンガーフードの熱が適度に逃げる分だけ容器内に熱が籠り難くなり、その結果、フィンガーフードが蒸れて水っぽくなることを少なく抑え得ることとなる。
【００１９】
＜構成＞
図１Ａに示すように、本実施例のフィンガーフード用紙製容器０１００は、コンビニエンスストアやファーストフード店などの飲食物販売店で販売されるフライドポテトや唐揚げやコロッケなどのフィンガーフードを収納する容器であって、容器正面である前側面０１０１，フィンガーフードを載置する底面０１０２，容器側面である左側面０１０３，同じく容器側面である右側面０１０４，容器背面である後側面０１０５及び容器のフィンガーフード取り出し口（上部開口）０１０７を開閉する蓋０１０６を有している。
【００２０】
このフィンガーフード用紙製容器０１００に用いられる紙には、当然のことながらフィンガーフードを保持できるだけの強度（厚みや強さ（こわさ））が求められるほか、フィンガーフードの油分や水分で変質したり、溶けたり、化学反応をおこして有害化したりすることのないような、すなわち、フィンガーフードに変異を来さないような紙質が求められ、例えば、コート・ノーコートボールと言われる板紙を用いることができる。
【００２１】
この際、上記の条件を満たす限り、ビニールやニス等のコーティングを施した紙を用いてもよく、紙のサイズ及び形状は、収納するフィンガーフードの個数や大きさや形状に応じて自由に設計することができる。
【００２２】
このフィンガーフード用紙製容器０１００は、上記の条件を満たす一枚のシート状の紙を折り曲げることによって形成されている。図１Ｂの展開図に示すように、前側面０１０１，底面０１０２，後側面０１０５及び蓋０１０６は直列に並べて配置されており、前側面０１０１と底面０１０２、底面０１０２と後側面０１０５、後側面０１０５と蓋０１０６は、いずれも折り目Ｌを介して連なっている。
【００２３】
後側面０１０５の左側縁には、左側面０１０３を構成する左側面後構成片０１０３Ｒｒが折り目Ｌを介して連なっており、さらに、この左側面後構成片０１０３Ｒｒの左側縁には、左側面後構成片０１０３Ｒｒとともに左側面０１０３を構成する左側面前構成片０１０３Ｒｆが折り目Ｌを介して連なっている。
【００２４】
これと同様に、後側面０１０５の右側縁には、右側面０１０４を構成する右側面後構成片０１０４Ｒｒが折り目Ｌを介して連なっており、さらに、この右側面後構成片０１０４Ｒｒの右側縁には、右側面後構成片０１０４Ｒｒとともに右側面０１０４を構成する右側面前構成片０１０４Ｒｆが折り目Ｌを介して連なっている。
【００２５】
一方、前側面０１０１の左側縁には、容器の剛性を高めるための左側面補強片０１０３Ｆが折り目Ｌを介して連なっており、これと同様に、前側面０１０１の右側縁にも、右側面補強片０１０４Ｆが折り目Ｌを介して連なっている。
【００２６】
そして、底面０１０２を間にして前側面０１０１及び後側面０１０５を互いに対向させた状態において、左側面後構成片０１０３Ｒｒ及び左側面前構成片０１０３Ｒｆの内側に左側面補強片０１０３Ｆを折り込んで、この左側面補強片０１０３Ｆと左側面前構成片０１０３Ｒｆとを互いに貼り合わせることで左側面０１０３を形成し、一方、右側面後構成片０１０４Ｒｒ及び右側面前構成片０１０４Ｒｆの内側に右側面補強片０１０４Ｆを折り込んで、この右側面補強片０１０４Ｆと右側面前構成片０１０４Ｒｆとを互いに貼り合わせることで右側面０１０４を形成するようにしている。図１Ｃに右側面０１０４の形成要領を示す。
【００２７】
この実施形態において、上記左側面前構成片０１０３Ｒｆの後側面０１０５とは反対側の側縁、及び、右側面前構成片０１０４Ｒｆの後側面０１０５とは反対側の側縁には、前側面補強片０１０１Ｆがそれぞれ折り目Ｌを介して連なっており、これらの前側面補強片０１０１Ｆ，０１０１Ｆを前側面０１０１にそれぞれ貼り合わせることで、上記した左側面補強片０１０３Ｆ及び右側面補強片０１０４Ｆと同様に、容器の剛性を高めるようにしている。
【００２８】
この場合、底面０１０２の前側面０１０１側の３つの領域は図示左から左前折り返し片０１０２Ｔｆｌ，中央前折り返し片０１０２Ｔｆｃ及び右前折り返し片０１０２Ｔｆｒとして形成してあり、これらの前側面０１０１側の左前折り返し片０１０２Ｔｆｌ，中央前折り返し片０１０２Ｔｆｃ及び右前折り返し片０１０２Ｔｆｒは、容器組み立て時において、折り目Ｌで左側面補強片０１０３Ｆ，前側面０１０１及び右側面補強片０１０４Ｆの各下端部と重なる方向にそれぞれ折り曲げられる、すなわち、上方に折り曲げられるようになっている。
【００２９】
一方、底面０１０２の後側面０１０５側の３つの領域も図示左から左後折り返し片０１０２Ｔｒｌ，中央後折り返し片０１０２Ｔｒｃ及び右後折り返し片０１０２Ｔｒｒとして形成してあり、これらの後側面０１０５側の左後折り返し片０１０２Ｔｒｌ，中央後折り返し片０１０２Ｔｒｃ及び右後折り返し片０１０２Ｔｒｒは、容器組み立て時において、折り目Ｌで左側面後構成片０１０３Ｒｒ，後側面０１０５及び右側面後構成片０１０４Ｒｒの各下端部と重なる方向にそれぞれ折り曲げられる、すなわち、上方に折り曲げられるようになっている。
【００３０】
このように、前側面０１０１側の左前折り返し片０１０２Ｔｆｌ，中央前折り返し片０１０２Ｔｆｃ及び右前折り返し片０１０２Ｔｆｒをそれぞれ上方に折り曲げると共に、後側面０１０５側の左後折り返し片０１０２Ｔｒｌ，中央後折り返し片０１０２Ｔｒｃ及び右後折り返し片０１０２Ｔｒｒをそれぞれ上方に折り曲げることで、左側面補強片０１０３Ｆ，前側面０１０１，右側面補強片０１０４Ｆ，左側面後構成片０１０３Ｒｒ，後側面０１０５及び右側面後構成片０１０４Ｒｒの各下端で容器を支承するようにしている。
【００３１】
これにより、図１Ｄに部分的に示すように、底面０１０２の中央部分０１０２Ｃを嵩上げして上げ底として機能するようにしており、例え容器に収容したフィンガーフードの油分や水分が底面０１０２に浸み出すようなことがあったとしても、店頭の展示台や食卓の載置面Ｄを汚すことがないようにしている。
【００３２】
また、この実施形態において、左側面補強片０１０３Ｆ及び右側面補強片０１０４Ｆの底面０１０２とは反対側の各端縁（図１Ｂ下端縁）には、折曲片０１０８Ｌ，０１０８Ｒが折り目Ｌを介してそれぞれ連なっている。これらの折曲片０１０８Ｌ，０１０８Ｒは、前側面０１０１及び後側面０１０５を互いに対向させた状態において、正面から見てフィンガーフード取り出し口０１０７の開口内側に位置するように形成されており、後側面０１０５から延在する蓋０１０６によるフィンガーフード取り出し口０１０７の閉塞時には、蓋０１０６の下側に折り込まれて開口面の一部を閉じるようになっている。
【００３３】
この際、蓋０１０６には先端舌片０１０６Ｃが設けてあり、この先端舌片０１０６Ｃは、図１Ｅに示すように、フィンガーフード取り出し口０１０７の閉塞時において左右の折曲片０１０８Ｌ，０１０８Ｒ間に挿入されるようになっている。
【００３４】
つまり、蓋０１０６でフィンガーフード取り出し口０１０７を閉じた状態において、左右の折曲片０１０８Ｌ，０１０８Ｒと開口上部である前側面０１０１の壁面との３点で先端舌片０１０６Ｃを挟持して固定することができるようになっている。
【００３５】
このように、蓋０１０６によるフィンガーフード取り出し口０１０７の閉塞状態では、蓋０１０６の先端舌片０１０６Ｃを左右の折曲片０１０８Ｌ，０１０８Ｒと前側面０１０１の壁面との３点で挟持しているだけなので、蓋０１０６の本体部分や先端舌片０１０６Ｃは、左右の折曲片０１０８Ｌ，０１０８Ｒと前側面０１０１の壁面のいずれにも密着していない。
【００３６】
したがって、蓋０１０６によるフィンガーフード取り出し口０１０７の閉塞状態を維持しつつ、蓋０１０６及びフィンガーフード取り出し口０１０７の間に僅かにできる隙間からフィンガーフードの熱を容器外に適度に逃がし得るものとなっている。
【００３７】
なお、上記した各折り目Ｌには、折り曲げを容易にするための加工、例えば、エンボス加工あるいはミシン目加工等を施すことが望ましい。
【００３８】
＜効果＞
このように、本実施例のフィンガーフード用紙製容器０１００では、フィンガーフード取り出し口０１０７の閉塞状態において、蓋０１０６の先端舌片０１０６Ｃを左右の折曲片０１０８Ｌ，０１０８Ｒ及び前側面０１０１の壁面の３点で挟持固定することができるので、テープを用いずに蓋０１０６によるフィンガーフード取り出し口０１０７の閉塞状態蓋を維持することができる。その結果、蓋０１０６を押さえながらテープを貼る作業が不要なものとなり、手間暇をかけずに容易に蓋０１０６を固定することができる。
【００３９】
また、本実施例のフィンガーフード用紙製容器０１００では、蓋０１０６の先端舌片０１０６Ｃを左右の折曲片０１０８Ｌ，０１０８Ｒ及び前側面０１０１の壁面で挟持することで蓋０１０６を固定するようにしているので、テープを用いて蓋を固定する場合と比べて、蓋０１０６とフィンガーフード取り出し口０１０７とが密着する部分が少なくなる。
したがって、蓋０１０６とフィンガーフード取り出し口０１０７との間の隙間からフィンガーフードの熱が適度に逃げる分だけ容器内に熱が籠り難くなり、その結果、フィンガーフードが蒸れて水っぽくなることを少なく抑えることが可能となる。
≪実施例２≫
【００４０】
＜概要＞
本実施例のフィンガーフード用紙製容器は、実施例１記載のフィンガーフード用紙製容器を基本とし、蓋の先端舌片の付根において左右に切込を形成した構成、及び、蓋を閉じた状態で上部開口の内側に位置する折曲片の内側よりの端部が先端舌片の左右の切込に差し込まれるようにした構成を特徴としている。すなわち、本実施例のフィンガーフード用紙製容器では、蓋による上部開口の閉塞状態をより確実に維持し得ることとなる。
【００４１】
＜構成＞
図２Ａに示すように、本実施例のフィンガーフード用紙製容器０２００が、先の実施例のフィンガーフード用紙製容器と相違するところは、蓋０２０６の先端舌片０２０６Ｃの付根において左右に切込０２０６ｓを形成した点、及び、図２Ｂに部分的に示すように、蓋０２０６を閉じた状態で上部開口であるフィンガーフード取り出し口０２０７の内側に位置する左右の折曲片０２０８Ｌ，０２０８Ｒの内側よりの端部が先端舌片０２０６Ｃの左右の切込０２０６ｓに差し込まれるようにした点にある。
【００４２】
＜効果＞
このように、本実施例のフィンガーフード用紙製容器０２００では、フィンガーフード取り出し口０２０７の内側に位置する左右の折曲片０２０８Ｌ，０２０８Ｒの間に蓋０２０６の先端舌片０２０６Ｃを挿入して、フィンガーフード取り出し口０２０７を蓋０２０６で閉塞すると、先端舌片０２０６Ｃの左右の切込０２０６ｓに左右の折曲片０２０８Ｌ，０２０８Ｒの内側よりの端部が差し込まれるので、蓋０２０６の先端舌片０２０６Ｃが左右の折曲片０２０８Ｌ，０２０８Ｒの間から抜け難くなり、したがって、蓋０２０６によるフィンガーフード取り出し口０２０７の閉塞状態をより確実に維持することができる。
≪実施例３≫
【００４３】
＜概要＞
本実施例のフィンガーフード用紙製容器は、実施例２記載のフィンガーフード用紙製容器を基本とし、蓋における先端舌片の付根の左右の切込の間に、蓋の上部側を山とする山折線を設けた構成を特徴としている。すなわち、本実施例のフィンガーフード用紙製容器では、蓋を開閉する際の利便性を高め得ることとなる。
【００４４】
＜構成＞
図３Ａ，３Ｂに示すように、本実施例のフィンガーフード用紙製容器０３００が、先の実施例２のフィンガーフード用紙製容器と相違するところは、蓋０３０６において、その先端舌片０３０６Ｃの付根に設けた左右の切込０３０６ｓの間に、蓋０３０６の上部側（図示上側）を山とする山折線Ｌｍを設けた点にある。
【００４５】
＜効果＞
このように、本実施例のフィンガーフード用紙製容器０３００では、図３Ｂに部分的に示すように、蓋０３０６を開閉する際において、フィンガーフード取り出し口０３０７の内側に位置する左右の折曲片０３０８Ｌ，０３０８Ｒの間に対する先端舌片０３０６Ｃの出し入れがし易い。すなわち、蓋０３０６を開閉する際の利便性の向上を実現することができる。
【符号の説明】
【００４６】
０１００      フィンガーフード用紙製容器
０１０１      前側面
０１０６      蓋
０１０６Ｃ    蓋の先端舌片
０１０７      フィンガーフード取り出し口（上部開口）
０１０８Ｌ    左側の折曲片
０１０８Ｒ    右側の折曲片
【図１Ａ】
0003226526.tif 000003
【図１Ｂ】
0003226526.tif 000004
【図１Ｃ】
0003226526.tif 000005
【図１Ｄ】
0003226526.tif 000006
【図１Ｅ】
0003226526.tif 000007
【図２Ａ】
0003226526.tif 000008
【図２Ｂ】
0003226526.tif 000009
【図３Ａ】
0003226526.tif 000010
【図３Ｂ】
0003226526.tif 000011